(57)【特許請求の範囲】
【請求項１】
人体の腹側に位置する腹側部と背側に位置する背側部とを有する本体部と、
前記背側部の幅方向の両側端部から突出する左右一対のテープ部と、
前記腹側部の外面に設けられ、前記テープ部を着脱自在に係止可能なターゲット部と、
を備える止着式紙おむつにおいて、
前記腹側部及び／又は前記背側部は、前記本体部の長手方向の端部から突出する凸部を有する腹側フラップ及び／又は背側フラップを備え、
前記凸部は、衣類に係止可能な係止部を当該止着式おむつの外面側に備えており、前記凸部を折り返して衣類の外面に係止できることを特徴とする止着式紙おむつ。
【請求項２】
前記腹側部は前記腹側フラップを備え、前記背側部は前記背側フラップを備えることを特徴とする請求項１に記載の止着式紙おむつ。
【請求項３】
前記腹側フラップは、前記本体部の幅方向において前記背側フラップの前記凸部に対応する位置に、前記背側フラップの前記凸部と同一形状の凹部を有することを特徴とする請求項２に記載の止着式紙おむつ。
【請求項４】
請求項２又は３に記載の止着式紙おむつを製造する止着式紙おむつの製造方法において、
帯状に連続して搬送されるバックシート帯の上面の幅方向略中央部に、搬送方向に所定の間隔で吸収体を配置する吸収体配置工程と、
前記吸収体を配置した前記バックシート帯の上面に、帯状のトップシート帯を接着しておむつ帯とするおむつ帯形成工程と、
前記おむつ帯の下面であって連続する二つの前記吸収体の間となる位置に、前記おむつ帯の幅方向に沿った係止部を形成する係止部形成工程と、
前記係止部を分断する切断線に沿って前記おむつ帯を切断することで、前記背側フラップ及び前記腹側フラップを形成する切断工程と、
を備えることを特徴とする止着式紙おむつの製造方法。
【発明の詳細な説明】
【技術分野】
【０００１】
本発明は、止着式紙おむつ及び止着式紙おむつの製造方法に関する。
【背景技術】
【０００２】
従来、吸収性物品の一つとして使い捨て紙おむつが知られている。
使い捨て紙おむつは、一般的にパンツ型紙おむつ及びテープ式紙おむつが知られている。
このうちテープ式紙おむつは、腰部の両側で分離されて平らに展開可能であり、装着時には人体の背側両側方から延出する一対のテープを、腹側に設けられたターゲット部に着脱自在に止着するものである。
【０００３】
このような従来のテープ式おむつは、装着中に排尿、排便などで重くなった場合の重力方向へのズレ落ちを、腹周りに水平の締め付ける力で防止しようとしているため、ズレ防止に物理的な限界があった。
そこで、例えば、特許文献１、２のように、肩や首に掛け回して吸収体本体を吊り上げて固定することで装着中のズレを防止する吊り上げバンドを持つ紙おむつの技術が開示されている。
【先行技術文献】
【特許文献】
【０００４】
【特許文献１】特開２００９−８２７３７号公報
【特許文献２】特開２００２−２００１１４号公報
【発明の概要】
【発明が解決しようとする課題】
【０００５】
しかしながら、特許文献１、２記載の技術は、吸収体本体とは別に吊り上げバンドを必要とするため、この吊り上げバンドを形成するための新たな設備を導入し、おむつ本体部分とは別に吊り上げバンドを形成する必要があるなど、コスト的にも操業的にも問題があった。
また、装着方法も、肩や首に吊り上げバンドを回す手間が増えるなど、従来のテープ式おむつよりも大掛かりなものとなり、装着しにくいものであった。
また、吊り上げバンドによって、跡付きやカブレなどの肌トラブルが起こる恐れもあった。
【０００６】
本発明の課題は、装着中重くなった場合などにもズレにくく、肌トラブルの発生が起こりにくい装着しやすい止着式紙おむつを、安価に提供することである。
【課題を解決するための手段】
【０００７】
上記課題を解決するために、請求項１に記載の発明は、
人体の腹側に位置する腹側部と背側に位置する背側部とを有する本体部と、
前記背側部の幅方向の両側端部から突出する左右一対のテープ部と、
前記腹側部の外面に設けられ、前記テープ部を着脱自在に係止可能なターゲット部と、
を備える止着式紙おむつにおいて、
前記腹側部及び／又は前記背側部は、前記本体部の長手方向の端部から突出する凸部を有する腹側フラップ及び／又は背側フラップを備え、
前記凸部は、衣類に係止可能な係止部を当該止着式おむつの外面側に備えており、前記凸部を折り返して衣類の外面に係止できることを特徴とする。
【０００８】
また、請求項２に記載の発明は、請求項１に記載の止着式紙おむつにおいて、
前記腹側部は前記腹側フラップを備え、前記背側部は前記背側フラップを備えることを特徴とする。
【０００９】
また、請求項３に記載の発明は、請求項２に記載の止着式紙おむつにおいて、
前記腹側フラップは、前記本体部の幅方向において前記背側フラップの前記凸部に対応する位置に、前記背側フラップの前記凸部と同一形状の凹部を有することを特徴とする。
【００１０】
また、請求項４に記載の発明は、
請求項２又は３に記載の止着式紙おむつを製造する止着式紙おむつの製造方法において、
帯状に連続して搬送されるバックシート帯の上面の幅方向略中央部に、搬送方向に所定の間隔で吸収体を配置する吸収体配置工程と、
前記吸収体を配置した前記バックシート帯の上面に、帯状のトップシート帯を接着しておむつ帯とするおむつ帯形成工程と、
前記おむつ帯の下面であって連続する二つの前記吸収体の間となる位置に、前記おむつ帯の幅方向に沿った係止部を形成する係止部形成工程と、
前記係止部を分断する切断線に沿って前記おむつ帯を切断することで、前記背側フラップ及び前記腹側フラップを形成する切断工程と、
を備えることを特徴とする。
【発明の効果】
【００１１】
本発明によれば、腹側部及び／又は背側部は、上端部から突出する凸部を有する腹側フラップ及び／又は背側フラップをそれぞれ備えており、凸部は衣類の外面に係止可能な係止部を備えているため、腹側フラップ及び／又は背側フラップは、装着時に、係止部が対向する衣類に係止されるようになっている。
このため、装着中、吸収性物品が重くなってもズレにくく、高い漏れ防止効果を実現することができる。
また、腹側フラップ及び／又は背側フラップは衣類に係止するものであるため、人体を締め付けることがなく、肌トラブルが発生する心配がない。
また、腹側フラップや背側フラップは衣類に係止するだけなので、装着が容易である。
また、腹側フラップや背側フラップを製造するための新たな設備等が必要ないため、安価に製造することができる。
【図面の簡単な説明】
【００１２】
【図１】本発明における紙おむつを示す平面展開図である。
【図２】図１と裏表を逆にした平面展開図である。
【図３】図１の紙おむつの装着の仕方を示す説明図である。
【図４】図１の紙おむつの製造方法を示す説明図である。
【図５】図４のＶ−Ｖ線における断面模式図である。
【図６】図１の紙おむつの製造方法を示すフローチャートである。
【図７】図１の紙おむつの別の装着の仕方を示す説明図である。
【図８】変形例１の紙おむつを示す平面展開図である。
【図９】変形例１の紙おむつの製造方法を示す説明図である。
【図１０】変形例２の紙おむつを示す平面展開図である。
【図１１】変形例２の紙おむつの製造方法を示す説明図である。
【図１２】変形例３の紙おむつを示す平面展開図である。
【図１３】変形例３の紙おむつの製造方法を示す説明図である。
【図１４】変形例３の紙おむつの製造方法を示す説明図である。
【発明を実施するための形態】
【００１３】
本実施形態における止着式紙おむつとして使い捨て紙おむつ（以下、紙おむつという。）１を例示して説明する。
なお、以下の説明においては、紙おむつ１の幅方向をＸ方向とし、幅方向と直交する方向をＹ方向とする。
【００１４】
図１、２に示すように、紙おむつ１は、紙おむつ本体である本体部１０と、本体部１０を人体に装着するための止着部（テープ部）２０、２０と、止着部２０を係止させるための被止着部（ターゲット部）３０と、紙おむつ１を衣類に係止するための腹側フラップ４０及び背側フラップ５０と、を備えて構成されている。
紙おむつ１は、止着部２０、２０を被止着部３０に止着することで装着する止着式の紙おむつである。
【００１５】
この紙おむつ１は、装着時に人体の股部を腹側から背側にかけて覆うように形成されている。
具体的には、本体部１０の一方の端部が人体の腹側に位置する腹側部１１を形成し、他方の端部が人体の背側に位置する背側部１２を形成し、腹側部１１と背側部１２との間が人体の股下に位置する股下部１３を形成する。
また、腹側部１１において股下部１３よりも両外側に延出した腹側延出部１１１、１１１と、背側部１２において股下部１３よりも両外側に延出した背側延出部１２１、１２１とは、紙おむつ１が装着された際に胴周り部１４を形成する。
なお、この際、背側部１２の胴周り方向に沿った縁部中央に、糸ゴム等の弾性部材を幅方向（Ｘ方向）に沿って設け、この弾性部材により平面ギャザーが形成して、本体部１０を、着用者の胴周りにフィットするように伸縮自在な構成としても良い。
また、股下部１３の両縁部は、腹側部１１から背側部１２に亘って、装着時に人体の脚周りを囲む脚周り部１５、１５を形成する。この脚周り部１５、１５には、その湾曲形状に合わせて糸ゴム等の弾性部材１５１がそれぞれ設けられ、この弾性部材１５１により平面ギャザーが形成され、着用者の脚周りに伸縮自在にフィットし、横漏れを防止するようになっている。
なお、弾性部材１５１を、脚周り部１５、１５の湾曲形状に合わせず、直線状に配置して平面ギャザーを形成することとしても良い。
また、腹側部１１及び背側部１２のＹ方向の端部からは、それぞれ、本体部１０の外側に向かって突出する突出部位が形成されており、この突出部位が、腹側フラップ４０及び背側フラップ５０を構成している。
【００１６】
本体部１０は、人体との接触面側に設けられる透液性の不織布からなるトップシート１０ａと、装着時に人体との接触面と反対側の外部側に設けられる不透液性のバックシート１０ｂと、トップシート１０ａとバックシート１０ｂとの間に介装される吸収体１０ｃと、トップシート１０ａ側の吸収体１０ｃの両側部に、本体部１０の長手方向に沿って備えられるギャザーシート１０ｄ、１０ｄと、により主に構成される。
【００１７】
トップシート１０ａは、紙おむつ１を装着した際に人体に接する面に設けられ、体液を受けて、吸収体１０ｃまで輸送する役割を果たす、透液性のシートである。
トップシート１０ａは、不織布が好適に用いられ、具体的には、例えば、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用い得る。
【００１８】
バックシート１０ｂは、紙おむつ１を装着した際に人体に接する面と反対側の面に設けられ、体液などの紙おむつ１外部への染み出し、漏れ出しを防ぐ役割を果たす、不透液性のシートである。
バックシート１０ｂも、トップシート１０ａと同様に不織布が好適に用いられる。なお、バックシート１０ｂは、例えば、ポリエチレンやポリプロピレン等の少なくとも遮水性を有するシート材であって、ムレ防止の観点から透湿性を有するシート材であることが好ましい。
なお、トップシート１０ａ及びバックシート１０ｂの間に、ポリエチレンフィルムからなるシート材を挟むこととしても良い。
【００１９】
吸収体１０ｃは、例えば、綿やパルプ等の吸収性素材や、繊維或いはフィルム等のシート状基材と高吸収性ポリマーのような高吸水性樹脂とが組み合わされて形成された吸収体コアが、透液性のクレープ紙、不織布、孔開きシート等のシート材により覆われて構成されている。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
吸収体１０ｃは、単層構造であっても良いし、複数層に分かれた構造でも構わない。吸収体１０ｃは、人体の腹側部１１から両脚の間の股下部１３を通り背側部１２に亘る位置に装着されている。
【００２０】
ギャザーシート１０ｄ、１０ｄは、トップシート１０ａ側において、吸収体１０ｃの長手方向に沿った両側部に、腹側部１１から背側部１２に亘ってそれぞれ備えられている。
このギャザーシート１０ｄ、１０ｄの幅方向外側の部分は、吸収体１０ｃの側方でトップシート１０ａの上面に固着されている。また、このギャザーシート１０ｄ、１０ｄの幅方向内側の部分は、トップシート１０ａに固定されておらず、その長手方向に沿って複数の糸ゴム等の弾性部材１６…が略平行に備えられており、断面略く字状及び逆く字状に立ち上がって着用者の体型に合わせて伸縮自在に変形可能な立体ギャザーが形成されている。
【００２１】
左右一対の止着部２０、２０は、背側部１２の背側延出部１２１、１２１の左右側方において、それぞれ外側（Ｘ方向）に向かって突出し、装着時には、腹側部１１のバックシート１０ｂ側に設けられた被止着部３０に止着可能となっている。
【００２２】
この止着部２０、２０の基端部は、トップシート１０ａ及びバックシート１０ｂにより狭持されて固着されている。なお、止着部２０、２０の基端部は、トップシート１０ａやバックシート１０ｂの内面または外面に貼り付けて固定しても良い。
【００２３】
また、止着部２０、２０の自由端部は、凸状に突出した形状となっており、当該自由端部の内面側には、面ファスナのオス材の係止要素であるファスニングテープ２１が備えられている。
このため、左右一対の止着部２０、２０の自由端部は、それぞれのファスニングテープ２１により、被止着部３０に止着できるようになっている。
また、止着部２０、２０の止着位置を調節することによって、腹周り及び胴周りの締め付け調節を行なうようになっている。
【００２４】
止着部２０、２０は、トップシート１０ａと同様の不織布シートやプラスチックシート、プラスチックシートの両面に不織布を積層した不織布積層シートの他、既知の止着テープに用いられているシート材を用いて形成することができる。
具体的に、不織布シートとしては、例えば、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものが挙げられる。また、プラスチックシートとしては、ポリプロピレン、ポリエチレン等の樹脂製シートが挙げられる。
【００２５】
被止着部３０は、腹側部１１における外面であるバックシート１０ｂ側に備えられる。
被止着部３０は、止着部２０、２０のファスニングテープ２１を係止するためのメス材の係止要素である係止層３１を備えて構成される。
係止層３１は、係止用不織布により構成されている。係止用不織布とは、例えば、ポリエチレン、ポリプロピレン、ポリエチレンテレフタレート、ナイロンなど、広く知られた汎用性の高い可塑性素材からなる単組成の素材若しくは複合組成の素材を用いることができる。なお、係止層３１は、長繊維で構成されるスパンボンド不織布を用いるのが好ましい。これは、短繊維であるポイントボンド不織布やエアスルー不織布では繊維の長さが短いため抜けやすく、強度が不足するからであって、連続長繊維で構成され、カット面からのほつれが少なく、毛羽立ちによる繊維の脱落が少ないスパンボンド不織布が力学的性能や生産性といった点で優れるからである。
【００２６】
腹側フラップ４０は、本体部１０の腹側部１１からＹ方向に向かって突出した部位に形成されている。即ち、腹側フラップ４０は、本体部１０から重なり合った状態で延出するトップシート１０ａ及びバックシート１０ｂと、バックシート１０ｂ側の外面に設けられたファスニングテープ４１と、で構成されている。
具体的に、腹側フラップ４０は、本体部１０の幅方向（Ｘ方向）中央を挟んで、左側に位置する左凸部４０ａと、右側に位置する右凸部４０ｂと、左凸部４０ａ及び右凸部４０ｂの間に位置する凹部４０ｃと、を備えている。
左凸部４０ａ及び右凸部４０ｂは、左右対称な矩形状であって、それぞれが、例えば、Ｘ方向の幅８０ｍｍ、Ｙ方向の長さ７０ｍｍに形成されている。
また、凹部４０ｃも矩形状であって、この凹部４０ｃは背側フラップ５０の凸部５０ａ（後述）と同一形状となっている。
左凸部４０ａ及び右凸部４０ｂの外面には、衣類に係止可能な係止部として、面ファスナのオス材の係止要素であるファスニングテープ４１がそれぞれ備えられている。
【００２７】
このような腹側フラップ４０は、紙おむつ１の装着時には、パンツなどの衣類の外面に着脱可能に係止されることとなる。つまり、左凸部４０ａが身体の腹の左側に、右凸部４０ｂが身体の腹の右側において、衣類の外面に係止される。
これにより、例えば排尿や排便などにより紙おむつ１が重くなった場合や着用者が激しい動きをした場合でも、ズレにくく、高い漏れ防止効果を期待できることとなる。
【００２８】
背側フラップ５０は、腹側フラップ４０と逆方向に向かって本体部１０から突出した部位に形成されている。即ち、背側フラップ５０は、本体部１０から重なり合った状態で延出するトップシート１０ａ及びバックシート１０ｂと、バックシート１０ｂ側の外面に設けられたファスニングテープ５１と、で構成されている。
背側フラップ５０は、本体部１０の幅方向（Ｘ方向）中央に凸部５０ａを備えている。
凸部５０ａは、例えば、Ｘ方向の幅１６０ｍｍ、Ｙ方向の長さ７０ｍｍに形成されている。また、凸部５０ａは、腹側フラップ４０の凹部４０ｃと同一形状となっている。
つまり、腹側フラップ４０は、本体部１０の幅方向（Ｘ方向）において、背側フラップ５０の凸部５０ａに対応する位置に、凸部５０ａと同一形状の凹部４０ｃを有しており、背側フラップ５０の凸部５０ａと、腹側フラップ４０の凹部４０ｃは、互いに補完し合う凹凸形状となっている。
凸部５０ａの外面には、衣類に係止可能な係止部として、面ファスナのオス材の係止要素であるファスニングテープ５１が備えられている。
【００２９】
このような背側フラップ５０は、紙おむつ１の装着時には、パンツなどの衣類の外面に着脱可能に係止されることとなっている。これにより、例えば排尿や排便などにより紙おむつ１が重くなった場合や着用者が激しい動きをした場合でも、ズレにくく、高い漏れ防止効果を期待できることとなる。
【００３０】
ここで、紙おむつ１の装着方法について説明する。
着用者は、紙おむつ１を装着する場合、紙おむつ１の腹側部１１を腹側に、背側部１２を背側に、股下部１３を股下に当接させ、背側部１２の背側延出部１２１、１２１に設けられた止着部２０、２０を、腰周りを亘って腹側部１１に設けられた被止着部３０に係止させることによって紙おむつ１を装着する。
この時点では、腹側フラップ４０は、人体の腹部の左右において、腹側部１１の端部から上方に突出した状態となっている。また、背側フラップ５０は、人体の背中の中央において、背側部１２の端部から上方に突出した状態となっている。（図３（ａ）参照）
次に、着用者は、上記のように紙おむつ１を腰周りに装着した状態で、上から下着などの衣類を身に着ける。このとき、衣類の上端部から、腹側フラップ４０及び背側フラップ５０が上方に突出している（図３（ｂ）参照）。
次に、腹側フラップ４０及び背側フラップ５０を外側に折り曲げて、ファスニングテープ４１、５１を衣類の外面に貼り付ける。これにより、衣類と紙おむつ１とが固定されることとなる（図３（ｃ）参照）。
【００３１】
次に、紙おむつ１の製造方法について説明する。
【００３２】
紙おむつ１は、図４、５に示すように、長手方向（Ｙ方向）に複数が連なった状態のものを、所定の間隔で幅方向（Ｘ方向）に切断することにより製造される。
具体的に、その製造方法としては、図６に示すように、吸収体配置工程Ｓ１と、おむつ帯形成工程Ｓ２と、係止部形成工程Ｓ３と、切断工程Ｓ４と、等を含んでいる。
【００３３】
吸収体配置工程Ｓ１は、帯状に連続して搬送されるバックシート帯１００ｂの上面の幅方向略中央部に、搬送方向に所定の間隔で吸収体１０ｃを配置する工程である。
具体的に、吸収体１０ｃは、配置された吸収体１０ｃを含む紙おむつの本体部となる本体部領域Ａの隣に、腹側フラップ４０及び背側フラップ５０となるフラップ領域Ｂが設けられる程度の間隔で配置される。
【００３４】
おむつ帯形成工程Ｓ２は、吸収体１０ｃを配置したバックシート帯１００ｂの上面に、帯状のトップシート帯１００ａを接着しておむつ帯１００とする工程である。
具体的に、吸収体１０ｃを配置したバックシート帯１００ｂの上面に、トップシート１０ａを構成する帯状のトップシート帯１００ａを重ね合わせ、ホットメルト等により接着しておむつ帯１００を作製する。なお、このおむつ帯形成工程Ｓ２に際して、例えば弾性部材１５１等のその他の必要な構成部材は、全て必要に応じてトップシート帯１００ａやバックシート帯１００ｂの所定の位置に配されていることとする。
形成されたおむつ帯１００は、本体部領域Ａと、フラップ領域Ｂと、を交互に備えることとなる。
【００３５】
係止部形成工程Ｓ３は、おむつ帯１００の下面であって連続する二つの吸収体１０ｃ、１０ｃの間となる位置に、おむつ帯１００の幅方向に沿った係止部Ｋを形成する工程である。
具体的に、バックシート帯１００ｂの下面において、２つの本体部領域Ａの間のフラップ領域Ｂに、おむつ帯１００の幅方向に沿った直線状の係止部Ｋを形成する。
係止部Ｋは、例えば、ファスニングテープ材であり、後述の切断工程Ｓ４で切断された後には、腹側フラップ４０及び背側フラップ５０におけるファスニングテープ４１及びファスニングテープ５１となるものである。
【００３６】
切断工程Ｓ４は、係止部Ｋを分断する切断線Ｓに沿っておむつ帯１００を切断すると共に、背側フラップ５０及び腹側フラップ４０を形成する工程である。
具体的に、切断線Ｓは、腹側フラップ４０及び背側フラップ５０が所望の形状となるように設計されており、この切断線Ｓに沿っておむつ帯１００を切断することで、一の紙おむつの背側フラップ５０（５０ａ）と、それに連続する紙おむつの腹側フラップ４０（４０ａ、４０ｂ）と、が形成される。
より具体的には、切断線Ｓは、フラップ領域ＢのＸ方向の一端部から他端部までの間に、係止部Ｋを架け渡すように曲折した形状を成す。そして、係止部Ｋは、この切断線Ｓに沿って切断され矩形状の腹側フラップ４０と背側フラップ５０が形成される。
【００３７】
上記のような製造方法により、一度の切断によって、連続する紙おむつの背側フラップ５０と腹側フラップ４０が形成されるので、製造が大変容易である。
【００３８】
以上のように、本実施形態の紙おむつ１によれば、腹側部１１及び背側部１２は、上端部から突出し、外面に衣類に係止可能な係止部（ファスニングテープ４１、ファスニングテープ５１）を備える腹側フラップ４０及び背側フラップ５０をそれぞれ備えているので、腹側フラップ４０及び背側フラップ５０は、装着時に、係止部が対向する衣類に係止されるようになっている。
このため、装着中、紙おむつ１が重くなってもズレにくく、高い漏れ防止効果を実現することができる。
また、腹側フラップ４０及び背側フラップ５０は衣類に係止するものであるため、人体を締め付けることがなく、肌トラブルが発生する心配がない。
また、腹側フラップ４０や背側フラップ５０は衣類に係止するだけなので、装着が容易である。
また、腹側フラップ４０や背側フラップ５０を製造するための新たな設備等が必要ないため、安価に製造することができる。
【００３９】
また、本実施形態の紙おむつ１によれば、背側フラップ５０は、ファスニングテープ５１が設けられた凸部５０ａを有し、腹側フラップ４０は、本体部１０の幅方向（Ｘ方向）において凸部５０ａに対応する位置に、凸部５０ａと同一形状の凹部４０ｃを有している。
このため、腹側フラップ４０と背側フラップ５０とは、互いに補完し合う凹凸形状を有しており、このため、製造過程において、一度の切断によって、連続する紙おむつの腹側フラップ４０と背側フラップ５０とが形成されるので、製造が大変容易となる。
また、腹側フラップ４０をこのような形状とすることで、腹部の左右は固定されるが、腹部の中央部は開放されることとなり、腹部を圧迫することがなく装着感が良好である。また、左右で別々に止着位置の調整を行えるため使い勝手が良い。
【００４０】
また、本実施形態の紙おむつ１の製造方法は、吸収体配置工程Ｓ１と、おむつ帯形成工程Ｓ２と、係止部形成工程Ｓ３と、切断工程Ｓ４と、を備える製造方法となっている。
このため、一度の切断によって、連続する紙おむつの腹側フラップ４０と背側フラップ５０とが形成されるので、製造が大変容易である。
また、この係止部Ｋを製造するための新たな設備等が必要ないため、安価に製造することができる。
【００４１】
なお、上記実施形態においては、着用者は、紙おむつ１の上に衣類を装着した後、腹側フラップ４０及び背側フラップ５０を折り曲げて、ファスニングテープ４１、ファスニングテープ５１を衣類に貼り付けて固定することとして説明したが、腹側フラップ４０を紙おむつ１の外面に係止させるようにして装着するようにしても良い。
この場合、折り曲げられた腹側フラップ４０は、図７（ａ）に示すように、紙おむつ１外面上の所定の位置に係止される。また、折り曲げられた背側フラップ５０は、図７（ｂ）に示すように、衣類の外面に係止される。
このため、装着時に本体部１０の腹側部１１の腹側延出部１１１付近で発生しがちなよれを防止し、また、紙おむつ１の装着中に起こる腹側延出部１１１の内折れを防止し、快適な装着感維持することができる。
【００４２】
なお、腹側フラップ４０及び背側フラップ５０の形状は、上記実施の形態に例示したものに限定されず適宜変更可能である。具体的に、変形可能な腹側フラップ４０及び背側フラップ５０の形状を変形例１〜３として例示する。
【００４３】
（変形例１）
変形例１の紙おむつ２は、図８に示すように、腹側フラップ２００が、左右対称な略台形状の左凸部２００ａ及び右凸部２００ｂと、その間に設けられた凹部２００ｃと、からなり、背側フラップ３００が、略三角形状の凸部３００ａを有している。
この場合であっても、腹側フラップ２００と背側フラップ３００とは、互いに補完し合う凹凸形状であり、このため、図９に示すように、製造過程において、おむつ帯１００Ａを一度切断することによって、連続する紙おむつの背側フラップ３００と腹側フラップ２００が形成されるので、製造が容易である。
具体的には、切断線Ｓは、フラップ領域ＢのＸ方向の一端部から他端部までの間に、係止部Ｋを架け渡すように曲折した形状を成す。そして、係止部Ｋは、この切断線Ｓに沿って切断され、略台形状の腹側フラップ２００（左凸部２００ａ及び右凸部２００ｂ）と、略三角形状の背側フラップ３００（３００ａ）が形成される。
【００４４】
（変形例２）    
変形例２の紙おむつ３は、図１０に示すように、腹側フラップ４００及び背側フラップ５００が同一形状となっている。
具体的に、腹側フラップ４００は、左右対称な２つの凸部４００ａ及び４００ｂを備え、背側フラップ５００も、左右対称な２つの凸部５００ａ及び５００ｂを備えている。
このような形状は、図１１に示すように、おむつ帯１００Ｂのフラップ領域Ｂの幅方向の３箇所を、楕円形状に打ち抜くことで形成される。なお、図示は省略するが、おむつ帯１００Ｂをその長手方向に沿った２箇所で折り畳んで、幅方向の中央部を１箇所楕円形状に打ち抜くことで形成することとしても良い。
【００４５】
（変形例３）
変形例３の紙おむつ４は、図１２に示すように、腹側フラップ６００が２つの凸部（６００ａ及び６００ｂ）からなり、背側フラップ７００が３つの凸部（７００ａ、７００ｂ、７００ｃ）から形成されている。
このような形状は、図１３に示すように、おむつ帯１００Ｃをその長手方向に沿った２つの折り線により折り畳んで、その後、図１４に示すように、所定の形状で切断することで形成することができる。
具体的には、切断線Ｓは、フラップ領域ＢのＸ方向の一端部から他端部までの間に、係止部Ｋを架け渡すように曲折した形状を成す。そして、係止部Ｋは、この切断線Ｓに沿って切断されるため、切断後のおむつ帯１００Ｃを広げると、腹側フラップ６００が２つの凸部（６００ａ及び６００ｂ）を有し、背側フラップ７００が３つの凸部（７００ａ、７００ｂ、７００ｃ）を有する形状が形成される。
【００４６】
なお、上記した実施形態及び変形例においては、紙おむつが腹側フラップ及び背側フラップの何れも備えた構成を例示して説明したが、腹側フラップ及び背側フラップの何れか一方のみを備えることとしても良い。
また、上記した実施形態及び変形例においては、腹側フラップ及び背側フラップが本体部と一体となった構成を例示して説明したが、腹側フラップ及び背側フラップを別体としても良い。
また、上記した実施形態及び変形例においては、腹側フラップ及び背側フラップは折り曲げて衣類に係止するものとして説明したが、折り曲げずに、人体の背及び腹に当たる部分の衣類の内側に係止することも可能である。
【符号の説明】
【００４７】
１  紙おむつ（止着式紙おむつ）
１０  本体部 
１０ａ  トップシート
１０ｂ  バックシート
１０ｃ  吸収体
１０ｄ  ギャザーシート
１１  腹側部
１２  背側部
１３  股下部
１４  胴周り部
１５  脚周り部
２０  止着部（テープ部）
２１  ファスニングテープ
３０  被止着部（ターゲット部）
４０  腹側フラップ
４０ａ  左凸部
４０ｂ  右凸部
４０ｃ  凹部
４１  ファスニングテープ（係止部）
５０  背側フラップ
５０ａ  凸部
５１  ファスニングテープ（係止部）
１００  おむつ帯
１００ａ  トップシート帯
１００ｂ  バックシート帯
Ａ  本体部領域
Ｂ  フラップ領域
Ｋ  係止部
Ｓ  切断線
【図１】
0005578899.tif 000002
【図２】
0005578899.tif 000003
【図３】
0005578899.tif 000004
【図４】
0005578899.tif 000005
【図５】
0005578899.tif 000006
【図６】
0005578899.tif 000007
【図７】
0005578899.tif 000008
【図８】
0005578899.tif 000009
【図９】
0005578899.tif 000010
【図１０】
0005578899.tif 000011
【図１１】
0005578899.tif 000012
【図１２】
0005578899.tif 000013
【図１３】
0005578899.tif 000014
【図１４】
0005578899.tif 000015